(57)【特許請求の範囲】
【請求項１】
磁路を形成する環状のヨークと、このヨークから径方向に突出し、周方向に分散して複数個配設されるとともに固定子コイルが装着されて固定子磁極となるティースとを有する回転電機の固定子において、ティースをティース外周部とティース芯部とで形成するとともに、ティース外周部は、径方向に開口する凹部をその内部に有するとともに、この凹部の底部近傍の側面にピン圧入のための軸方向に伸びるピン圧入穴を有し、ティース芯部は、ヨークから径方向に突出させてヨークと一体的に形成するとともにその先端部に上記ピン圧入穴と同様のピン圧入穴を有するものとし、ティース外周部を、その凹部を介してティース芯部にその開口部から嵌入してティース外周部とティース芯部とにそれぞれ設けたピン圧入穴同志を相対向させ、この結果形成されるピン圧入穴にピンを圧入することによりティース芯部にティース外周部を固着するように構成し、ピンの圧入に伴なうティース外周部の変形を抑制すべくティース芯部の先端中央部にスリ割りを設けたことを特徴とする回転電機の固定子。
【請求項２】
〔請求項１〕に記載する回転電機の固定子において、ピンの圧入に伴うティース外周部の先端部の周方向への拡幅を防止するようにこのティース外周部の先端部が嵌入される凹部である補助溝をヨークに設けたことを特徴とする回転電機の固定子。
【請求項３】
〔請求項１〕又は〔請求項２〕に記載する回転電機の固定子において、ティース芯部はその幅が基端部から先端部に向けて漸減するように構成したことを特徴とする回転電機の固定子。
【発明の詳細な説明】
【０００１】
【発明の属する技術分野】
本発明は回転電機の固定子に関し、特に分割形成したヨーク及びティースを組み立てて構成する固定子に適用して有用なものである。
【０００２】
【従来の技術】
図３は従来技術に係る回転電機の固定子鉄心の一部を抽出して示す説明図である。同図に示すように、この固定子鉄心は、磁路を形成する環状のヨーク１と、このヨーク１の内周面から径方向に関し中心側に突出したティース２とを有している。ティース２は、柱状の磁極部２ａと、内周面が円弧状に形成された磁極片２ｂとからなる。磁極部２ａは固定子コイル（図示せず。）が嵌装される部分で、その基端部はヨーク１の内周面に固着され、その先端部には磁極片２ｂが固着されている。磁極片２ｂは回転子（図示せず。）との間のギャップの磁束分布を改善して磁束を回転子の表面に広く分布させるためのもので、周方向に関し磁極部２ｂから両側に突出している。
【０００３】
かかる固定子鉄心に固定子コイルを装着してなる固定子においては、固定子コイルの内径よりも磁極片２ｂの周方向に関する幅が小さいので、固定子コイルを磁極部２ａに嵌装した後に磁極片２ｂを磁極部２ａに固着している。このため、磁極部２ａと磁極片２ｂとは分割して形成される。また、磁極部２ａとヨーク１とを分割形成するとともに、ヨーク１自体も複数のヨーク片１ａに分割して形成する場合が多い。ちなみに、図３に示す固定子は、部分分割した珪素鋼板を積層してヨーク片１ａ、磁極部２ａ及び磁極片２ｂをそれぞれ形成し、その後これらの３部分を結合して固定子鉄心を形成している。すなわち、積層したヨーク片１ａ、磁極部２ａ及び磁極片２ｂを接合部Ａ、Ｂ、Ｃで結合し、カシメ、溶接、接着等により接続して組み立てている。
【０００４】
【発明が解決しようとする課題】
図３に示す固定子鉄心では、積層したヨーク片１ａ、磁極部２ａ及び磁極片２ｂを接合部Ａ、Ｂ、Ｃで結合する際に、接合部Ａはヨーク片１ａの外周部の溶接、接合部Ｂ、Ｃはレジン含浸法（一部カシメを含む。）による工法が採られているが、この場合の接合面積が狭いため、大トルクの回転電機にあっては強度不足を招来し、信頼性に欠けるという問題を生起する。特に、溶接の場合は、設備費が高価となり、少量生産に向かないばかりでなく、溶接作業時の熱により絶縁物の劣化が生じ易いという問題もある。また、積層するヨーク片１ａの曲がり等が発生している場合には、接合部の嵌合が困難になるので、各部分の精度を高精度に保つとともに、治具精度の管理も重要になる。さらに、接合部Ａ、Ｂ、Ｃはいずれも磁束密度が高い部分であるため、各接合部Ａ、Ｂ、Ｃにおける起磁力損失が大きい。
【０００５】
本発明は、上記従来技術に鑑み、特別な治具を必要とせずに高精度に組み立てることができ、また効率も向上させることができる回転電機の固定子を提供することを目的とする。
【０００６】
上記目的を達成する本発明の構成は、次の点を特徴とする。
【０００７】
１） 磁路を形成する環状のヨークと、このヨークから径方向に突出し、周方向に分散して複数個配設されるとともに固定子コイルが装着されて固定子磁極となるティースとを有する回転電機の固定子において、ティースをティース外周部とティース芯部とで形成するとともに、ティース外周部は、径方向に開口する凹部をその内部に有するとともに、この凹部の底部近傍の側面にピン圧入のための軸方向に伸びるピン圧入穴を有し、ティース芯部は、ヨークから径方向に突出させてヨークと一体的に形成するとともにその先端部に上記ピン圧入穴と同様のピン圧入穴を有するものとし、ティース外周部を、その凹部を介してティース芯部にその開口部から嵌入してティース外周部とティース芯部とにそれぞれ設けたピン圧入穴同志を相対向させ、この結果形成されるピン圧入穴にピンを圧入することによりティース芯部にティース外周部を固着するように構成し、ピンの圧入に伴なうティース外周部の変形を抑制すべくティース芯部の先端中央部にスリ割りを設けたこと。
【０００９】
２） 上記１）に記載する回転電機の固定子において、ピンの圧入に伴うティース外周部の先端部の周方向への拡幅を防止するようにこのティース外周部の先端部が嵌入される凹部である補助溝をヨークに設けたこと。
【００１０】
３）上記１）又は２）に記載する回転電機の固定子において、ティース芯部はその幅が基端部から先端部に向けて漸減するように構成したこと。
【００１１】
【発明の実施の形態】
以下本発明の実施の形態を図面に基づき詳細に説明する。
【００１２】
図１は本発明の第１の実施の形態に係る回転電機の固定子の一部を抽出して示す説明図である。同図に示すように、本形態に係る固定子は、磁路を形成する環状のヨーク１１と、このヨーク１１から径方向に突出し、周方向に分散して複数個配設されるとともに固定子コイル１３が装着されて固定子磁極となるティース１２とからなる。ここで、ティース１２はティース外周部１２ａとティース芯部１２ｂとで形成してある。これらのうちティース外周部１２ａは、磁極片１２ｃを有するとともに径方向に開口する凹部１２ｄをその内部に有しており、この凹部１２ｄの底部近傍の両側面にはピン圧入のための軸方向に伸びるピン圧入穴１２ｅが形成してある。すなわち、凹部１２ｄとともに磁極片１２ｃ、ピン圧入穴１２ｅを有する形状に打ち抜いた珪素鋼板を軸方向に積層して形成してある。
【００１３】
ティース芯部１２ｂは、ヨーク１１から径方向に関し中心側に突出させてヨーク１１と一体的に形成するとともに、その先端部の両側面に上記ピン圧入穴１２ｅと同様のピン圧入穴１２ｆが形成してある。すなわち、ヨーク１１及びティース芯部１２ｂが一体となった形状に打ち抜いた珪素鋼板を軸方向に積層して形成してある。このとき、ティース芯部１２ｂはその幅が基端部から先端部に向けて漸減するように形成してあり、このことによりティース芯部１２ｂをティース外周部１２ａの凹部１２ｄに嵌入する際の作業性が良好になるように工夫している。
【００１４】
本形態に係る固定子の固定子鉄心は、上述の如くヨーク１１とティース芯部１２ｂとが一体となった１つのブロックと、このブロックのティース芯部１２ｂに凹部１２ｄを介して嵌入するティース外周部１２ａである他のブロックとに２分割した点を最大の特徴とするものである。
【００１５】
固定子コイル１３は積層したティース外周部１２ａの外周に磁極片１２ｃの反対側から絶縁層１４を介して嵌装する。かかる固定子コイル１３の嵌装作業が終了した後、ティース外周部１２ａのブロックを、その凹部１２ｄを介してヨーク１１及びティース芯部１２ｂのブロックのティース芯部１２ｂに径方向に関し中心側から嵌入し、続いてピン圧入穴１２ｅ、１２ｆにピン１５を圧入することにより固定子コイル１３を嵌装したティース外周部１２ａをティース芯部１２ｂに固着して一体化することにより固定子コイル１３が嵌装されたティース１２を形成する。その後全体にレジンを含浸して当該固定子を完成する。ここで、ピン１５の圧入に伴うティース外周部１２ａの先端部の周方向への拡幅を防止するようにこのティース外周部１２ａの先端部が嵌入される凹部である補助溝１２ｇがヨーク１１の内周面に設けてある。また、ピン１５のピン圧入穴１２ｅに対する圧入に伴なうティース外周部１２ａの変形を抑制すべくティース芯部１２ｂの先端中央部にはスリ割り１２ｈを設けてある。かかるスリ割り１２ｈは、例えば大形の回転電機等、ティース外周部１２ａの強度が十分大きい場合や、ピン１５としてスプリング割りピンを使用した場合には必ずしも必要ではなくなる。
【００１６】
上述の如き第１の実施の形態に係る固定子は磁極片１２ｃの内周面に回転子（図示せず。）の外周面が相対向する通常の回転電機の固定子であるが、本発明は磁極片の外周面に回転子の内周面が相対向するアウターロータ形の回転電機の固定子にも適用し得る。アウターロータの回転電機の固定子を、第２の実施の形態として図２に示す。同図に示すように、本形態に係る固定子は、磁路を形成する環状のヨーク２１から径方向に関し遠心側にティース芯部２２ｂを突出させ、このティース芯部２２ｂにティース外周部２２ａを遠心側から嵌入したものであり、ティース外周部２２ａ及びティース芯部２２ｂのピン圧入穴２２ｅ、２２ｆにピン１５を圧入することにより、前記実施の形態と同様に、固定子コイル２３を嵌装したティース外周部２２ａをヨーク２１と一体となったティース芯部２２ｂに固定するようにしたものである。本形態においてもティース２２は、ティース外周部２２ａと、磁極片２２ｃを有するティース芯部２２ｂとで構成してある。また、ピン１５の圧入に伴うティース外周部２２ａの先端部の周方向への拡幅を防止するようにこの先端部をヨーク２１の外周面に形成した補助溝２２ｇに嵌入してある。この点の構成も前記実施の形態と同様である。なお、図中２２ｈはスリ割り、２４は絶縁層である。
【００１７】
【発明の効果】
以上実施の形態とともに詳細に説明した通り、本発明によれば磁極片を有するティース芯部をヨークと一体となったティース外周部の凹部に嵌入し、ティース芯部のヨーク側の端部のピン孔にピンを圧入することによりこの端部を拡幅してティース芯部がヨーク及びティース外周部と一体になるようにしたので、ティース芯部とティース外周部との接触面積を大きくとることができ、レジン含浸強度面での大きな強度を確保することができる。また、ティース芯部をティース外周部の凹部に嵌入する際に特別な治具を必要とすることなくこの作業を行うことができるので、高精度の固定子を容易に形成することができる。このときのティース外周部とティース芯部との接合部は磁束密度が小さい部分であるので、起磁力損失が少ないばかりでなく、接合に溶接を使用しないので、溶接時の熱が原因となる絶縁物の劣化を生起することはない。
【００１８】
さらに、ヨークとティース外周部とを一体に形成して両者の間に接合部がないように構成したので、表皮効果により高密度磁束となる磁路表面での鉄損を抑制して高効率の回転電機を構成することができる。
【図面の簡単な説明】
【図１】本発明の第１の実施の形態に係る回転電機の固定子の一部を抽出して示す説明図である。
【図２】本発明の第２の実施の形態に係る回転電機の固定子の一部を抽出して示す説明図である。
【図３】従来技術に係る回転電機の固定子鉄心の一部を抽出して示す説明図である。
【符号の説明】
１１、２１        ヨーク
１２、２２        ティース
１２ａ、２２ａ        ティース外周部
１２ｂ、２２ｂ        ティース芯部
１２ｃ、２２ｃ        磁極片
１２ｄ、２２ｄ        凹部
１２ｅ、２２ｅ        ピン圧入穴
１２ｆ、２２ｆ        ピン圧入穴
１２ｇ、２２ｇ        補助溝
１２ｈ、２２ｈ        スリ割り
１３、２３        固定子コイル
１５        ピン
【図１】
0003727475.tif 000002
【図２】
0003727475.tif 000003
【図３】
0003727475.tif 000004